(57)【要約】【課題】表面材等の端面部分が外部へ露出することのない表面材のキャビネット本体への取付構造を提供する。【解決手段】キャビネット本体２の前面側に表面材を取り付けるようにしたキャビネット１において、キャビネット本体２の前面側の周端縁に表面材取付用の凹段部８を形成すると共に、凹段部８の全周に堤状の起立壁１０を形成し、キャビネット本体２の表面材（ミラー）９の背面側に凹部１１を形成する。これにより、表面材９の厚み部分はキャビネット本体２内に埋め込まれた状態となり、外部へ露呈することはない。そのため、外観上の見栄えがよく、また他の部材と接触して欠損を起こしやすい等の問題はない。【選択図】  図１
2004242917.tif 000002
【特許請求の範囲】
【請求項１】
キャビネット本体の前面側に表面材を取り付けるようにしたキャビネットにおいて、キャビネット本体の前面側の周端縁に表面材取付用の凹段部を形成すると共に、凹段部の全周に堤状の起立壁を形成し、キャビネット本体の表面材の背面側に凹部を形成したことを特徴とするキャビネット。
【請求項２】
キャビネット本体の前面側に表面材を取り付けるようにしたキャビネットにおいて、キャビネット本体の前面側の周端縁に表面材取付用の凹段部を形成すると共に、凹段部に表面材係止用の取付孔を穿設し、該取付孔に対応する表面材の位置に係止用突起を形成し、前記凹段部の全周に堤状の起立壁を形成し、キャビネット本体の表面材の背面側に凹部を形成したことを特徴とするキャビネット。
【請求項３】
表面材が固定式である請求項１又は２のいずれかに記載のキャビネット。
【請求項４】
表面材が開閉式である請求項１又は２のいずれかに記載のキャビネット。
【請求項５】
表面材とキャビネット本体との間に指を挿入できる空間が形成されている請求項４に記載のキャビネット。
【発明の詳細な説明】
【０００１】
【発明の属する技術分野】
本発明は、キャビネット本体の前面側に開閉扉又はミラー等の表面材を固定方式又は開閉方式で取り付けるようにしたキャビネットに関するものである。
【０００２】
【従来の技術】
キャビネット本体の前面側に開閉扉又はミラー等の表面材を取り付けた技術としては、特許文献１に開示されたものが公知である。この特許文献１に記載された技術は、キャビネット本体の前面側にヒンジを介してミラーを開閉自在に枢着し、ミラーを閉じたときにマグネットを利用して開かないようにしている。ヒンジは、ミラーの左端側の上下枠の部分に合計二カ所が設けられている。そして、ミラーの下端側に横方向に長尺の把手を設けることで、使用者が指を挿入できるようにし、ミラーの開閉操作が行えるようにしている。
【０００３】
【特許文献１】
実開昭５９−４４３４５号公報
【０００４】
【発明が解決しようとする課題】
ところが、前記キャビネット本体の前面側に対するミラー等の表面材の取り付け方法にあっては、単にキャビネット本体の前面側に表面材を開閉できるようにヒンジを介して取り付けているだけであり、表面材の厚み部分（周端面）がそのまま外部へ露呈しており、見栄えが悪いという欠点があった。
また表面材の厚み部分がそのまま外部へ露呈しているので、該部分が他部材と接触して欠損事故を起こし易い等の問題があった。
【０００５】
本発明は従来の前記課題に鑑みてこれを改良除去したものであって、表面材等の端面部分が外部へ露出することのない表面材のキャビネット本体への取付構造を提供せんとするものである。
【０００６】
【課題を解決するための手段】
而して、前記課題を解決するために本発明が採用した手段は、キャビネット本体の前面側に表面材を取り付けるようにしたキャビネットにおいて、キャビネット本体の前面側の周端縁に表面材取付用の凹段部を形成すると共に、凹段部の全周に堤状の起立壁を形成し、キャビネット本体の表面材の背面側に凹部を形成したことを特徴とするキャビネットである。
このようにキャビネット本体の前面側の周端縁に、凹段部を設けて表面材を嵌合装着することにより、表面材の厚み部分はキャビネット本体内に埋め込まれた状態となり、外部へ露呈することはない。そのため、外観上の見栄えがよく、また他の部材と接触して欠損を起こしやすい等の問題はない。
【０００７】
また本発明が採用した請求項２の手段は、キャビネット本体の前面側に表面材を取り付けるようにしたキャビネットにおいて、キャビネット本体の前面側の周端縁に表面材取付用の凹段部を形成すると共に、凹段部に表面材係止用の取付孔を穿設し、該取付孔に対応する表面材の位置に係止用突起を形成し、前記凹段部の全周に堤状の起立壁を形成し、キャビネット本体の表面材の背面側に凹部を形成したことを特徴とするキャビネットである。
この発明では、前記請求項１の発明に加えて、凹段部に表面材係止用の取付孔を穿設し、該取付孔に表面材に設けた係止用突起を嵌合装着することで、表面材をキャビネット本体に対して直接に取り付けるようにしている。
【０００８】
本発明にあっては、請求項３及び４に示すように、表面材が固定式であってもよく、開閉式であってもよい。また請求項５に示すように、表面材とキャビネット本体との間に指を挿入できる空間が形成してもよい。
表面材を固定式又は開閉式のいずれのものへも対応できるようにすることで、キャビネット本体の共用が可能であり、また開閉式とした場合は、キャビネット本体内の凹部を小物品や消耗品等の収納部として利用することも可能である。更に、開閉式とした場合に、表面材とキャビネット本体との間に指を挿入できる空間を形成した場合は、その開け閉めが容易である。
【０００９】
【発明の実施の形態】
以下に、本発明の構成を図面に示す発明の実施の形態に基づいて説明すると次の通りである。図１〜図３は本発明をミラーキャビネット１へ適用した一実施の形態に係るものであり、図１はキャビネット本体２の正面図、図２は図１のＡ−Ａ線断面図、図３は図１のＢ−Ｂ線断面図である。同図に示す如く、この実施の形態におけるミラーキャビネット１は、その下部側が図示しない洗面台へ連結され、洗面化粧台を構成する。
【００１０】
この実施の形態におけるミラーキャビネット１は、キャビネット本体２が中央のミラー装着部３と、その左右上部の照明部４及び５と、照明部４及び５の下方の収納棚部６及び７とからなっている。中央部のミラー装着部３は、図２に示すように、その前端面側の周囲に凹段部８が形成されている。この凹段部８はミラー９を取り付けるためのものである。凹段部８の外周には、起立壁１０が立設されており、凹段部８を囲繞するように形成されている。またキャビネット本体２のミラー９の背面側には、小物品や消耗品等を収納するための収納部（凹部）１１が形成されている。
【００１１】
また凹端部８の上下左右の合計四箇所には、図４の図（Ａ）に示すように、ミラー９を取り付けるための取付孔１２が穿設されている。該取付孔１２は凹部１２Ａ内にスリット状に設けられており、ミラー取付具１３が嵌合装着されるようになっている。ミラー取付具１３は、ミラー９の上下端面のいずれかを抱き抱えることができるように断面コ字状になったフック部１４を有し、その背面側に前記取付孔１２に嵌合し得る二股状の係止突起１５が形成されている。この係止突起１５，１５をスリット状の取付孔１２に無理嵌めすることで、ミラー９をキャビネット本体２の凹段部８に対して取り付けることができる。
【００１２】
図４の図（Ｂ）に示す取付具１３の場合は、ミラー９をキャビネット本体２に対して固定する場合のものであり、取付後の状態は図５の図（Ａ）〜図（Ｃ）に示す通りである。このようにキャビネット本体２の前端面の凹段部８にミラー９を取り付けることにより、取付後のミラー９の表面はキャビネット本体２の前端面と面一になり、ミラー９の全周の側端面が外部へ露呈するようなことはない。そのため、外観上の見栄えがよく、また他部材と接触して欠損しやすい等の問題はない。
【００１３】
また図６の図（Ａ）〜図（Ｃ）は、取付具１３の代わりに蝶番１６を用い、ミラー９を左右に二分割して観音開き方式で開閉できるようにしたものである。この場合、二分割したミラー９Ａ，９Ｂを左右に開くと、その奥に収納部（凹部）１１が現れるようになり、小物品や消耗品等の収納部１１として利用することができる。なお、この場合に、図７に示すように、ミラー９を取り付けるための取付具１７を断面Ｆ字状とし、その一部を外部へ露呈させ、外部へ突出する部分（摘まみ）１８とキャビネット本体２との間に指を挿入できる空間１９を形成している。そして、取付具１７とは別な取付具２０を準備している。該取付具２０は、平坦な部材の背面側に係止突起１５を有し、平坦な部分の表面にマグネットが埋設又は貼り付け等により取り付けられている。これにより、ミラー９を閉じたときに、取付具１７の背面側がキャビネット本体２側のマグネットに吸着されてその状態を維持する。一方、ミラー９を開けるときは、取付具１７の摘まみ１８を把持し、マグネットの吸着力に抗して開放すればよい。また図６は、ミラー９を観音開き方式にした場合を示しているが、ミラー９を一枚もので構成し、左右のいずれか一方へ開放及び閉塞するようにしてもよい。この場合は、蝶番１６及びマグネットなどは片方ずつでよい。
【００１４】
ところで、本発明は上述した実施の形態に限定されるものではなく、適宜の変更が可能である。例えば、図８に示すように、キャビネット本体２の収納部２の下部側の対向する側壁どうしに、無理嵌め方式の取付具２１，２１を装着し、該取付具２１どうしに跨がって、収納部１１に収納した小物品や消耗品等の脱落防止バー２２を装着するようにしてもよい。また表面材としてミラー９を用いた場合を説明したが、単に開閉扉の場合でも同様に適用可能である。
【００１５】
【発明の効果】
以上説明したところから明らかなように本発明にあっては、キャビネット本体の前面側に表面材を取り付けるようにしたキャビネットにおいて、キャビネット本体の前面側の周端縁に表面材取付用の凹段部を形成すると共に、凹段部の全周に堤状の起立壁を形成し、キャビネット本体の表面材の背面側に凹部を形成している。このようにキャビネット本体の前面側の周端縁に、凹段部を設けて表面材を嵌合装着することにより、表面材の厚み部分はキャビネット本体内に埋め込まれた状態となり、外部へ露呈することはない。そのため、外観上の見栄えがよく、また他の部材と接触して欠損を起こしやすい等の問題はない。
【００１６】
また本発明にあっては、凹段部に表面材係止用の取付孔を穿設し、該取付孔に表面材に設けた係止用突起を嵌合装着することで、表面材をキャビネット本体に対して直接に取り付けるようにしている。
【００１７】
更に、本発明にあっては、表面材を固定式としたり、開閉式としたりすることができ、一つのキャビネット本体を両タイプのものへ兼用できるので、専用のキャビネット本体を準備する必要がない。しかも、開閉式とした場合は、キャビネット本体内の収納部を小物品や消耗品等の収納部として利用することも可能である。
【００１８】
更にまた、本発明にあっては、表面材とキャビネット本体との間に指を挿入できる空間を形成している。表面材を開閉式とした場合に便利である。
【図面の簡単な説明】
【図１】本発明の一実施の形態に係るキャビネット本体の正面図である。
【図２】本発明の一実施の形態に係るものであり、図１のＡ−Ａ線断面図である。
【図３】本発明の一実施の形態に係るものであり、図１のＢ−Ｂ線断面図である。
【図４】本発明の一実施の形態に係るものであり、図（Ａ）は取付孔を示す部分断面斜視図、図（Ｂ）は取付具の斜視図である。
【図５】表面材を固定式とした場合の本発明の一実施の形態に係るものであり、図（Ａ）はキャビネット本体の正面図、図（Ｂ）は平面図、図（Ｃ）は側面図である。
【図６】表面材を開閉式とした場合の本発明の一実施の形態に係るものであり、図（Ａ）はキャビネット本体の正面図、図（Ｂ）は平面図、図（Ｃ）は側面図である。
【図７】表面材を開閉式とした場合の本発明の変形例を示すものであり、キャビネット本体と表面材との係合部を示す部分縦断面図である。
【図８】本発明の更に変形例を示すものであり、収納部に脱落防止バーを設けた場合のキャビネット本体の部分縦断面正面図である。
【符号の説明】
１…ミラーキャビネット、２…キャビネット本体、３…ミラー装着部、４，５…照明部、６，７…収納棚部、８…凹段部、９…ミラー、１０…起立壁、１１…収納部、１２…取付孔、１３…取付具、１５…係止突起、１６…蝶番、１８…摘まみ、１９…指挿入用空間
【図１】
2004242917.tif 000003
【図２】
2004242917.tif 000004
【図３】
2004242917.tif 000005
【図４】
2004242917.tif 000006
【図５】
2004242917.tif 000007
【図６】
2004242917.tif 000008
【図７】
2004242917.tif 000009
【図８】
2004242917.tif 000010